(57)【要約】【課題】装着される板材と、これに締め付けられる他の板材との間の電気的導通を容易に確保できるクリップナットを提供する。【解決手段】クリップナット１は、板材２２を挟持するクリップ体２と、これに保持されるナット３とを具備する。クリップ体２は、金属板を折曲して形成され、第１片部４、第２片部５、折曲部６を有する。両片部４，５は、それぞれ板材２２のボルト挿通孔２２ａに対応するボルト挿通孔４ａ、５ａを有する。第１片部４はナット保持部７を具備する。第１片部４が板材２２の表面側、第２片部５が裏面側にそれぞれ配置され、両片部４，５間で板材２２を挟持する。ナット３は、ねじ孔３ａをボルト挿通孔４ａに合致させて、第１片部４上に配置され、ナット保持部７に保持される。第２片部５は、ボルト２１による締め付け時に板材２２の裏面側に突き刺さり、電気的導通を得る複数の導通爪８を有する。【選択図】図５
2013148168.tif 000002
【特許請求の範囲】
【請求項１】
互いにボルトで締め付けられ、相互の電気的導通が確保されるべき２つの板材の一方の縁部に装着され、ボルトに螺合されるクリップナットであって、
前記板材を挟持するクリップ体と、このクリップ体に保持されるナットとを具備し、
前記クリップ体は、金属板を断面略コ字形に折曲して形成され、それぞれ前記板材のボルト挿通孔に対応するボルト挿通孔を有して相対向する第１片部及び第２片部と、両片部の一端側を結合する折曲部と、第１片部の外側面に設けられるナット保持部とを具備し、板材の表面側に配置される第１片部と板材の裏面側に配置される第２片部とでの間で板材を挟持可能に構成され、
前記ナットは、前記クリップ体の第１片部の外側面上に、それのボルト挿通孔にねじ孔を合致させるように配置され、前記ナット保持部に保持され、
前記クリップ体の第２片部は、一端側が前記折曲部に続いて前記第１片部に対してほぼ平行に延びる挟持部と、この挟持部の他端側に続いて第１片部に対して斜め先開きに延出し、前記ボルトによる締め付け時に撓んで前記板材の裏面側に圧接部される圧接片部とを具備し、
前記クリップ体の圧接片部の内側面には、前記ボルトによる締め付け時に、前記板材の裏面側に突き刺さって当該板材に電気的に導通するように圧接される複数の導通爪が突設されることを特徴とするクリップナット。
【請求項２】
前記ナットは、六角ナットであり、前記クリップ体のナット保持部は、前記第１片部の周縁からナットの対向一対の側面に沿って起立する一対の当接片と、ナットの他の対向一対の側面に沿って起立し、上部において内側へ屈折してナットの上面に沿う一対の押さえ片とを具備することを特徴とする請求項１に記載のクリップナット。
【請求項３】
前記クリップ体の第１片部のボルト挿通孔の周縁部に、装着時に前記板材のボルト挿入孔の内周縁に係合するように下方へ突出する係合突片が形成されることを特徴とする請求項１又は2に記載のクリップナット。
【請求項４】
太陽電池モジュールの枠体を構成する内側フランジの縁部に装着され、この内側フランジとの電気的導通が確保されるべき支持部材である板材にボルトで締め付けられるクリップナットであって、
前記内側フランジのボルト挿通孔対応部を挟持するクリップ体と、このクリップ体に保持されるナットとを具備し、
前記クリップ体は、金属板を断面略コ字形に折曲して形成され、それぞれ前記内側フランジ及び板材のボルト挿通孔に対応するボルト挿通孔を有して相対向する第１片部及び第２片部と、両片部の一端側を結合する折曲部と、第１片部の外側面に設けられるナット保持部とを具備し、内側フランジの表面側に配置される第１片部と内側フランジの裏面側に配置される第２片部とでの間で内側フランジを挟持可能に構成され、
前記ナットは、前記クリップ体の第１片部の外側面上に、それのボルト挿通孔にねじ孔を合致させるように配置され、前記ナット保持部に保持され、
前記クリップ体の第２片部は、一端側が前記折曲部に続いて前記第１片部に対してほぼ平行に延びる挟持部と、この挟持部の他端側に続いて第１片部に対して斜め先開きに延出し、前記ボルトによる締め付け時に撓んで前記内側フランジの裏面側に圧接部される圧接片部とを具備し、
前記クリップ体の圧接片部の内側面には、前記ボルトによる締め付け時に、前記内側フランジの裏面側に突き刺さって当該内側フランジに電気的に導通するように圧接される複数の導通爪が突設されることを特徴とする太陽電池モジュールの固定用クリップナット。
【発明の詳細な説明】
【技術分野】
【０００１】
この発明は、互いにボルトで締め付けられ、相互の電気的導通が確保されるべき２つ板材の一方の縁部に装着され、ボルトに螺合されるクリップナットに関し、さらに詳細には、当該板材が電気絶縁性の塗装膜を有する場合でも、電気的導通を確保することができるクリップナットに係るものである。
【背景技術】
【０００２】
クリップナットは、金属板を略Ｕ字状又はコ字状に折り曲げて形成されるクリップ体と、このクリップ体に脱落不能に取り付けられるナットとで構成され、クリップ体をその弾性に抗して押し広げることで板材の縁部にワンタッチ的に取り付けることができる（例えば特許文献１参照）。
【先行技術文献】
【特許文献】
【０００３】
【特許文献１】特開２００７−３０９４９８号公報
【発明の概要】
【発明が解決しようとする課題】
【０００４】
２つの板材をボルト・ナットで締め付けて、両者間の電気的導通を確保すべき部位に上記従来のクリップナットを用いる場合において、当該クリップナットが装着される板材が絶縁塗膜で被覆されていると、２つの板材間の電気的導通を確保することができない。
したがって、この出願に係る発明は、それが装着される板材と、これに締め付けられる他の板材との間の電気的導通を容易に確保することができるクリップナットを提供することを目的としている。
【課題を解決するための手段】
【０００５】
以下、添付図面の符号を参照して説明するが、本発明はこれに限定されるものではない。
上記課題を解決するための、この出願に係る発明のクリップナット１は、板材２２を挟持するクリップ体２と、このクリップ体２に保持されるナット３とを具備する。クリップ体２は、金属板を断面略コ字形に折曲して形成され、それぞれ板材２２のボルト挿通孔２２ａに対応するボルト挿通孔４ａ、５ａを有して相対向する第１片部４及び第２片部５と、両片部４，５の一端側を結合する折曲部６と、第１片部４の外側面に設けられるナット保持部７とを具備する。第１片部４が板材２２の表面側に配置され、第２片部５が板材２２の裏面側に配置され、両片部４，５間で板材２２を挟持する。ナット３は、クリップ体２の第１片部４の外側面上に、それのボルト挿通孔４ａにねじ孔３ａを合致させるように配置され、ナット保持部７に保持される。クリップ体の第２片部５は、一端側が折曲部６に続いて第１片部４に対してほぼ平行に延びる挟持部５ｂと、この挟持部５ｂの他端側に続いて第１片部４に対して斜め先開きに延出し、ボルト２１による締め付け時に撓んで板材２２の裏面側に圧接部される圧接片部５ｃとを具備する。クリップ体２の圧接片部５ｃの内側面には、ボルト２１による締め付け時に、板材２２の裏面側の塗装膜等を貫通して当該板材２２に突き刺さり、電気的に導通するように圧接される複数の導通爪８が突設される。
【発明の効果】
【０００６】
この出願に係る発明のクリップナットによれば、それが装着される板材とこれに締め付けられる他の板材との間の電気的導通を容易に確保することができるクリップナットを提供できる。
【図面の簡単な説明】
【０００７】
【図１】本発明の実施形態に係るクリップナットの正面図である。
【図２】図1のクリップナットの側面図である。
【図３】図1のクリップナットの平面図である。
【図４】図1におけるIV−IV断面図である。
【図５】図1のクリップナットの使用状態を示す断面図である。
【発明を実施するための形態】
【０００８】
図面を参照してこの発明の実施の形態を説明する。
クリップナット１は、図５に示すように、互いにボルト２１で結合される２つ板材２２，２３の一方の縁部に装着され、ボルト２１に螺合される。図示の実施形態において、板材２２は、太陽電池モジュール２４の枠体の内側フランジであり、また板材２３は、太陽電池モジュール２４を構築物に支持するための支持部材の一部であり、両板材２２，２３間は、アースをとるために電気的に導通される。
【０００９】
クリップナット１は、板材２２のボルト挿通孔２２ａ対応部を挟持するクリップ体２と、このクリップ体２に保持されるナット３とを具備する。
【００１０】
クリップ体２は、金属板を断面略コ字形に折曲して形成され、それぞれ板材２２のボルト挿通孔２２ａに対応するボルト挿通孔４ａ、５ａを有して相対向する第１片部４及び第２片部５と、両片部４，５の一端側を結合する折曲部６と、第１片部４の外側面に設けられるナット保持部６とを具備する。
【００１１】
第１片部４が板材２２の表面側に配置され、第２片部５が板材２２の裏面側に配置され、両片部４，５間で板材２２を挟持する。ボルト挿通孔４ａの周縁部には、板材２２への装着時に、それのボルト挿入孔２２ａの内周縁に係合して、容易に位置決めできるように下方へ突出する係合突片４ｂが形成される。
【００１２】
ナット３は、ねじ孔３ａをボルト挿通孔４ａに合致させるように第１片部４の外側面上に配置され、ナット保持部７に保持される。ナット保持部７は、第１片部４の周縁からナット３の側面に沿って起立する３つの当接片７ａと、ナット３の他の側面に沿って起立し、上部において内側へ屈折してナット３の上面に沿う一対の押さえ片７ｂとを具備する。
【００１３】
クリップ体２の第２片部５は、一端側が折曲部６に続いて第１片部４に対してほぼ平行に延びる挟持部５ａと、この挟持部５ａの他端側に続いて第１片部４に対して斜め先開きに延出し、ボルト２１による締め付け時に撓んで板材２２の裏面側に圧接部される圧接片部５ｂとを具備する。圧接片部の内側面には、ボルト２１による締め付け時に、板材２２の裏面側に突き刺さり、電気的に導通するように圧接される複数の導通爪８が突設される。導通爪８は、板材２２の裏面側に塗装膜等がある場合には、これを貫通して板材２２に突き刺さる。
【００１４】
板材２２，２３を結合する際には、まず板材２２の縁部のボルト挿通孔２２ａに対応する部位に、クリップナット１を装着する。クリップ体２の第１片部４と第２片部５の挟持片部５ｂとの間に板材２２を割り込ませて適宜移動すると、係合突片４ｂがボルト挿通孔２２ａに係合するので、ボルト挿通孔４ａを板材２２のボルト挿通孔２２ａに容易に合致させることができる。
【００１５】
例えば、図５に示すように、板材２２が、太陽電池モジュール２４の枠体の内側フランジである場合に、太陽電池モジュール２４を支持部材である板材２３上に配置すると、フランジ部である板材２２が作業者から見えない位置に来る。しかし、予めフランジ部である板材２２のボルト挿通孔２２ａに合致するようにナット３が装着されているので、ボルト２１の締め付け作業は容易である。ボルト２１を締め付けると、圧接片部５ｃが撓んで、導通爪８が板材２２の裏面に突き刺さるので、板材２２と板材２３との間の電気的導通が容易に確保できる。別途接地線で接続するような追加的作業は不要である。
【符号の説明】
【００１６】
１    クリップナット
２    クリップ体
３    ナット
４    第１片部
４ａ  ボルト挿通孔
４ｂ  係合突片
５    第２片部
５ａ  ボルト挿通孔
５ｂ  挟持片部
５ｃ  圧接片部
６    折曲部
７    ナット保持部
７ａ  当接片
７ｂ  押さえ片
８    導通爪
２１  ボルト
２２  板材
２２ａ  ボルト挿通孔
２３  板材
２３ａ  ボルト挿通孔
【図１】
2013148168.tif 000003
【図２】
2013148168.tif 000004
【図３】
2013148168.tif 000005
【図４】
2013148168.tif 000006
【図５】
2013148168.tif 000007
【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
互いにボルトで締め付けられ、相互の電気的導通が確保されるべき２つの板材の一方の縁部に装着され、ボルトに螺合されるクリップナットであって、
前記板材を挟持するクリップ体と、このクリップ体に保持されるナットとを具備し、
前記クリップ体は、金属板を断面略コ字形に折曲して形成され、それぞれ前記板材のボルト挿通孔に対応するボルト挿通孔を有して相対向する第１片部及び第２片部と、両片部の一端側を結合する折曲部と、第１片部の外側面に設けられるナット保持部とを具備し、板材の表面側に配置される第１片部と板材の裏面側に配置される第２片部とでの間で板材を挟持可能に構成され、
前記ナットは、前記クリップ体の第１片部の外側面上に、それのボルト挿通孔にねじ孔を合致させるように配置され、前記ナット保持部に保持され、
前記クリップ体の第２片部は、一端側が前記折曲部に続いて前記第１片部に対してほぼ平行に延びる挟持部と、この挟持部の他端側に続いて第１片部に対して斜め先開きに延出し、前記ボルトによる締め付け時に撓んで前記板材の裏面側に圧接される圧接片部とを具備し、
前記クリップ体の圧接片部の内側面には、前記第１片部と第２片部とで板材を挟持させる際に前記圧接片部の傾斜により板材から離間し、かつ前記ボルトによる締め付け時に、前記板材の裏面側に突き刺さって当該板材に電気的に導通するように圧接される複数の導通爪が突設されることを特徴とするクリップナット。
【請求項２】
前記ナットは、六角ナットであり、前記クリップ体のナット保持部は、前記第１片部の周縁からナットの対向一対の側面に沿って起立する一対の当接片と、ナットの他の対向一対の側面に沿って起立し、上部において内側へ屈折してナットの上面に沿う一対の押さえ片とを具備することを特徴とする請求項１に記載のクリップナット。
【請求項３】
前記クリップ体の第１片部のボルト挿通孔の周縁部に、装着時に前記板材のボルト挿入孔の内周縁に係合するように下方へ突出する係合突片が形成されることを特徴とする請求項１又は2に記載のクリップナット。
【請求項４】
太陽電池モジュールの枠体を構成する内側フランジの縁部に装着され、この内側フランジとの電気的導通が確保されるべき支持部材である板材にボルトで締め付けられるクリップナットであって、
前記内側フランジのボルト挿通孔対応部を挟持するクリップ体と、このクリップ体に保持されるナットとを具備し、
前記クリップ体は、金属板を断面略コ字形に折曲して形成され、それぞれ前記内側フランジ及び板材のボルト挿通孔に対応するボルト挿通孔を有して相対向する第１片部及び第２片部と、両片部の一端側を結合する折曲部と、第１片部の外側面に設けられるナット保持部とを具備し、内側フランジの表面側に配置される第１片部と内側フランジの裏面側に配置される第２片部とでの間で内側フランジを挟持可能に構成され、
前記ナットは、前記クリップ体の第１片部の外側面上に、それのボルト挿通孔にねじ孔を合致させるように配置され、前記ナット保持部に保持され、
前記クリップ体の第２片部は、一端側が前記折曲部に続いて前記第１片部に対してほぼ平行に延びる挟持部と、この挟持部の他端側に続いて第１片部に対して斜め先開きに延出し、前記ボルトによる締め付け時に撓んで前記内側フランジの裏面側に圧接される圧接片部とを具備し、
前記クリップ体の圧接片部の内側面には、前記第１片部と第２片部とで前記内側フランジを挟持させる際に前記圧接片部の傾斜により内側フランジから離間し、かつ前記ボルトによる締め付け時に、前記内側フランジの裏面側に突き刺さって当該内側フランジに電気的に導通するように圧接される複数の導通爪が突設されることを特徴とする太陽電池モジュールの固定用クリップナット。
【手続補正２】
【補正対象書類名】明細書
【補正対象項目名】０００５
【補正方法】変更
【補正の内容】
【０００５】
以下、添付図面の符号を参照して説明するが、本発明はこれに限定されるものではない。
上記課題を解決するための、この出願に係る発明のクリップナット１は、板材２２を挟持するクリップ体２と、このクリップ体２に保持されるナット３とを具備する。クリップ体２は、金属板を断面略コ字形に折曲して形成され、それぞれ板材２２のボルト挿通孔２２ａに対応するボルト挿通孔４ａ、５ａを有して相対向する第１片部４及び第２片部５と、両片部４，５の一端側を結合する折曲部６と、第１片部４の外側面に設けられるナット保持部７とを具備する。第１片部４が板材２２の表面側に配置され、第２片部５が板材２２の裏面側に配置され、両片部４，５間で板材２２を挟持する。ナット３は、クリップ体２の第１片部４の外側面上に、それのボルト挿通孔４ａにねじ孔３ａを合致させるように配置され、ナット保持部７に保持される。クリップ体の第２片部５は、一端側が折曲部６に続いて第１片部４に対してほぼ平行に延びる挟持部５ｂと、この挟持部５ｂの他端側に続いて第１片部４に対して斜め先開きに延出し、ボルト２１による締め付け時に撓んで板材２２の裏面側に圧接される圧接片部５ｃとを具備する。クリップ体２の圧接片部５ｃの内側面には、第１片部４と第２片部５とで板材２２を挟持させる際に、圧接片部５ｃの傾斜により板材２２から離間し、かつボルト２１による締め付け時に、板材２２の裏面側の塗装膜等を貫通して当該板材２２に突き刺さり、電気的に導通するように圧接される複数の導通爪８が突設される。
【手続補正３】
【補正対象書類名】明細書
【補正対象項目名】００１０
【補正方法】変更
【補正の内容】
【００１０】
クリップ体２は、金属板を断面略コ字形に折曲して形成され、それぞれ板材２２のボルト挿通孔２２ａに対応するボルト挿通孔４ａ、５ａを有して相対向する第１片部４及び第２片部５と、両片部４，５の一端側を結合する折曲部６と、第１片部４の外側面に設けられるナット保持部７とを具備する。
【手続補正４】
【補正対象書類名】明細書
【補正対象項目名】００１３
【補正方法】変更
【補正の内容】
【００１３】
クリップ体２の第２片部５は、一端側が折曲部６に続いて第１片部４に対してほぼ平行に延びる挟持部５ｂと、この挟持部５ｂの他端側に続いて第１片部４に対して斜め先開きに延出し、ボルト２１による締め付け時に撓んで板材２２の裏面側に圧接される圧接片部５ｃとを具備する。圧接片部５ｃの内側面には、ボルト２１による締め付け時に、図５に示すように、板材２２の裏面側に突き刺さり、電気的に導通するように圧接される複数の導通爪８が突設される。導通爪８は、板材２２の裏面側に塗装膜等がある場合には、これを貫通して板材２２に突き刺さる。導通爪８は、第１片部４と第２片部５とで板材２２を挟持させる際に、図１に示すように、圧接片部５ｃが第1片部４に対して傾斜していることにより板材２２から離れている。
【手続補正５】
【補正対象書類名】明細書
【補正対象項目名】００１４
【補正方法】変更
【補正の内容】
【００１４】
板材２２，２３を結合する際には、まず板材２２の縁部のボルト挿通孔２２ａに対応する部位に、クリップナット１を装着する。クリップ体２の第１片部４と第２片部５の挟持部５ｂとの間に板材２２を割り込ませて適宜移動すると、係合突片４ｂがボルト挿通孔２２ａに係合するので、ボルト挿通孔４ａを板材２２のボルト挿通孔２２ａに容易に合致させることができる。
【手続補正６】
【補正対象書類名】明細書
【補正対象項目名】００１６
【補正方法】変更
【補正の内容】
【００１６】
１    クリップナット
２    クリップ体
３    ナット
４    第１片部
４ａ  ボルト挿通孔
４ｂ  係合突片
５    第２片部
５ａ  ボルト挿通孔
５ｂ  挟持部
５ｃ  圧接片部
６    折曲部
７    ナット保持部
７ａ  当接片
７ｂ  押さえ片
８    導通爪
２１  ボルト
２２  板材
２２ａ  ボルト挿通孔
２３  板材
２３ａ  ボルト挿通孔